(57)【要約】      （修正有）【課題】上半身に着衣するシャツなどの表装側に現わさせること無く、穿くズボンの身体前部のずり下がりをとどめる隠れズボン吊りを提供する。【解決手段】紐あるいは帯体本体１の一方の端部にたぐり輪２を装着し、もう一方の端部はこのたぐり輪２をくぐらせ垂下させて適宜位置に引っ掛けフック３を付与することにより、上半身に着衣したシャツ裾部などのズボン内しまい込まれ部分のボタンと下位の次位置ボタン間の召しあわせ部分からこの引っ掛けフック３を這い出させることができ、ズボン側のフック引っ掛かり部品などと簡単に結合させることによりズボンを吊る仕組みを上半身に着衣するシャツなどの表装側に現わさせること無く、穿くズボンの身体前部のずり下がりをとどめることに役立つ。【選択図】図１
0003155636.tif 000002
【実用新案登録請求の範囲】
【請求項１】
紐または帯体の一方の端部にたぐり輪を装着し、もう一方の端部はこのたぐり輪をくぐらせて余裕のある首掛け寸法を確保した環状を形成させ、たぐり輪を通過したあとの紐あるいは帯体は環状下部に垂れ下げてその長さは穿くズボンの上部部分位置まで届く充分な寸法とし、その垂れ下げの下端部部位には引っ掛け吊り下げるフックなどの部品又は仕組みを付与させるなどとし、上半身に着衣したシャツの裾部などのズボン内にしまいこまれた部分のボタンと下位の次位置ボタン間の召しあわせ部分から紐あるいは帯体の垂れ下がりの下端部分に付与させたフックなどを這い出させ、ズボン側に用意させたフック引っ掛かり部品や又は仕組みなどと簡単に結合させズボンを吊ることにより、その紐または帯体やフックなどの用具を上半身に着衣するシャツなどの表装側に現わさせること無く、穿くズボンの身体前部のずり下がりをとどめる形状の隠れズボン吊り。
【考案の詳細な説明】
【技術分野】
【０００１】  本考案は、穿いているズボンの身体前部分のずり下がりをとどめる用具に関するものである。
【背景技術】
【０００２】  ズボンを穿いている状態でその身体前部分のずり下がりを防止するには、ズボンの胴回り部位でのベルト締めに補足して肩越し掛けの吊りバンドの下端に仕組みをなしてズボンの上端部位を保持し吊り下げしたりする方法があるが、肩越し掛けのずり下がりをとどめるために用いるバンドは上半身に着衣するシャツなどの表装面に現れて、これを外観させまいとするためにはその上に装いを必要としていた。
【考案の概要】
【考案が解決しようとする課題】
【０００３】  上半身に着衣するシャツなどの表装面から手当てをする用法のズボンを吊る肩越し掛けの吊りバンドは、その上半身に着衣するシャツなどの表装面に現れる形をなす。そこで本考案は、穿いているズボンの身体前部のずり下がりをとどめながらも然し、その仕組みや用具が上半身に着衣するシャツなどの表装側に現れない工夫をしたものとし問題を解決しようとするものである。
【課題を解決するための手段】
【０００４】  本考案は、紐あるいは帯体の一方の端部にたぐり輪を装着し、もう一方の端部はこのたぐり輪をくぐらせて余裕のある首掛け寸法を確保した環状を形成させ、たぐり輪を通過したあとの紐あるいは帯体は環状下部に垂れ下げてその長さは穿くズボンの上部部分位置まで届く充分な寸法とし、その垂れ下げの下端部部位にはズボンを引っ掛け吊り下げるフックなどの部品又は仕組みを付与させるなどとし、上半身にシャツなどを着衣する前に首掛け装身して上半身に着衣したシャツ裾部などのズボン内にしまいこまれた部分のボタンと下位の次位置ボタン間の召しあわせ部分から紐あるいは帯体の垂れ下がりの下端部分に付与させたフックなどを這い出させ、ズボン側に用意させたフック引っ掛かり部品や又は仕組みなどと簡単に結合させズボンを吊ることにより、その仕組みや用具を上半身に着衣するシャツなどの表装側に現わさせること無く穿くズボンの身体前部のずり下がりをとどめることにより問題点を解決している。
【考案の効果】
【０００５】  前述の様に、本考案の隠れズボン吊りは上半身に着衣するシャツなどの内部側に首掛けする吊り用具にズボンを引っ掛け下げる形状としているので、上半身に着衣するシャツなどにズボンの吊り下げ荷重を負担させること無く、然も肩越し掛けの吊りバンドのようにシャツを装圧して型崩れを誘引させることなく装いを整えることができ、また外装や上着或いはベストなどを脱いでシャツなどの姿になってもズボン吊りが露見しないので装い上の自由度を広汎に増すこととして役立つ。
【図面の簡単な説明】
【０００６】
【図１】本考案の隠れズボン吊りの実施例を示す正面図である。
【図２】本考案の隠れズボン吊りの実施例を示す右側面図である。
【図３】本考案の隠れズボン吊りの装着実施例を示す概略図である。
【考案を実施するための形態】
【０００７】  紐あるいは帯体の一方の端部にたぐり輪を装着し、もう一方の端部はこのたぐり輪をくぐらせて余裕のある首掛け寸法を確保した環状を形成させる。この形状により、輪に首をくぐらせて装身するにあたっては身体や感覚的にもぴったりと適合できる。さらなるこことしてたぐり輪以下の部分も環状下部に自然態として垂れ下がる。そしてその垂れ下がり長さの下端部位にフックなどの部品又はズボン引っ掛け吊り下げ仕組みなどを付与させる。これの位置も穿くズボンの上部部分位置まで必然として垂下し到達することになる。この状態が構成できることにより上半身に着衣したズボン内となるしまい込み部分のシャツのボタン掛けをした時、ズボン内部ではボタンと下位の次位置ボタン間の召しあわせ部分から紐あるいは帯体の垂れ下がりの下端部分にあるフック又はズボン引っ掛け吊り下げ仕組みなどを這い出させることができることとなり、ズボン本体側の引っ掛かり相方部品と簡単に結合自在となる。
【実施例】
【０００８】  以下、添付図面に従って一実施例を説明する。１は適度な強度を有する布等適宜素材にて環状に形成された紐あるいは帯体本体、２はバンドの環状形成のための結合部品であり併せて環状の長さや下端部位の位置などを調整できるたぐり輪。３はズボン本体側の引っ掛かり相方部品と簡単に結合自在できる引っ掛けフック。４は上半身に着衣するシャツなど。５はズボン前部。
【産業上の利用可能性】
【０００９】  現代社会は所謂洋装が日常常識の時代である。従って我が国古来の和装、直垂衣装と違って着衣は上半身着と下半身着を纏うのが大概の装い方となっている。そして、大方の男性にあっての公式標準着は背広服の上下一揃いである。そこで巷間散見されるのは、その新調時と後の着用過程ではその身体事情が変化することが多いことであり、ことに中年代時期にあっては腹部の拡幅事情や痩細変化が課題となる。身体変化に合わせ頻繁に新調を重ねることも生活諸般の事情と兼ね合わせなければならないことから身体適合が聊か不都合になっても何とか着衣し凌いでいる有様が見受けられていることである。殊にズボンの前下がり風景は着衣当事者にとっても得心がいくことではなく従って徳用で改善の方策があればそれに頼りたいものである。従って本考案が認証されその実用実施品が産業化され社会に顕在化されるならば社会にその有用性が大いに寄与される。
【符号の説明】
【００１０】  １  紐あるいは帯体
２  たぐり輪
３  引っ掛けフック
４  上半身に着衣するシャツなど
５  ズボン前部
【図１】
0003155636.tif 000003
【図２】
0003155636.tif 000004
【図３】
0003155636.tif 000005